(57)【要約】【課題】簡単に装着できて外れにくく紐の端部のほつれを防止し、意匠性に優れるとともに安価な紐保持具を提供することである。【解決手段】紐２５の先端部２６を挿入する挿入口１８を備えて前記紐２５の先端部２６を収容する筐体１７と、この筐体１７に内設され，前記紐２５の先端部２６を挟持する挟持部２１ａ，２１ｂと，この挟持部２１ａ，２１ｂを支持する支持部２２ａ，２２ｂと，この支持部２２ａ，２２ｂに接続されて前記支持部２２ａ，２２ｂに作用する力によって弾性変形する弾性部２３とを備える紐固定部２０と、前記筐体１７に設けられ前記支持部２２ａ，２２ｂを押圧する押圧部１９とを有するものである。【選択図】図１
2011156347.tif 000002
【特許請求の範囲】
【請求項１】
紐の結び目を挿入する挿入口と，前記紐の結び目を収容する収容部とを備える結び目固定部と、この結び目固定部の上方部を収容し前記紐が挿通可能な貫通孔が穿設された上部筐体と、この上部筐体と着脱可能に嵌合し前記結び目固定部の下方部を収容する下部筐体とを有することを特徴とする紐保持具。
【請求項２】
前記結び目固定部の挿入口は、開口の大きさが調整可能な開口調整部を備えることを特徴とする請求項１記載の紐保持具。
【請求項３】
前記開口調整部は切込みを備えて複数の押え片で形成され、前記開口調整部は前記下部筺体と前記上部筺体が嵌合した際に、前記上部筺体の内面は前記複数の押え片が開口することを抑制するように構成されることを特徴とする請求項２に記載の紐保持具。
【請求項４】
前記複数の押え片のうち、少なくとも１つの押え片の表面には滑り止め部材を備えることを特徴とする請求項３に記載の紐保持具。
【請求項５】
前記上部筐体及び前記下部筐体には装飾が施されることを特徴とする請求項１乃至請求項４のいずれか１項に記載の紐保持具。
【発明の詳細な説明】
【技術分野】
【０００１】
本発明は、靴紐や衣服に使用される紐の端部を保持する紐保持具に関する。
【背景技術】
【０００２】
一般に、靴紐や衣服に用いられる紐は、繊維や複数の糸を束ねたものを編み込んで形成されており、その端部をそのまま放置しておくと、次第に編み込みが解けてしまいほつれて使用できなくなってしまう。そこで、紐の端部では、通常、結び目を作ったり、粘着テープを巻着したり、接着剤で固めたりしてほつれ防止の処理を行っている。また、衣服に紐通し通路を縫製して紐を通す場合には、紐の端部のほつれ防止に加えて紐通し孔から紐通り通路の内部に紐の端部が入り込まないように結び目を形成することが従来から行われている。さらに、このような靴紐や衣服に用いられる紐では、単に紐の端部にほつれ防止を行うだけでなく、装飾を施したりして意匠性を向上させたものも考えられている。
【０００３】
例えば、特許文献１には、「靴ひも」という名称で、靴ひもにアクセサリーを取り付けて靴のファッション性を向上させた靴ひもに関する考案が開示されている。
この特許文献１に開示された考案は、靴ひもの端部にねじ付き止め具を有するものである。
この靴ひもでは、両端部にねじ山を備える止め具が強固に取り付けてあるので、ねじ山に合致するねじ孔を備えるアクセサリーを装着することが可能であり、靴のファッション性を向上させることが可能になっている。また、アクセサリーは容易に取り替えることができるので、使用者の嗜好に合わせた利用が可能となる。そして、従来の止め具と同様に靴ひもの端部のほつれを防止したり紐通しを容易したりすることもできる。
【０００４】
また、特許文献２には、「靴ひも長さ調整用ほつれ防止具」という名称で、靴ひもの長さ調整とほつれ防止と装飾性の向上を可能とした靴ひも長さ調整用ほつれ防止具に関する発明が開示されている。
この特許文献２に開示された発明は、端部から途中までに形成され外側に向けて湾曲する切込みと、この切込みの内面に滑り止め歯と、切込みの外面に凸部とを備える内管状体と、この内管状体の外径と同じ又は少し大きめの内径に形成され内管状体の凸部に嵌合する凹部を備える外管状体を有するものである。
そして、靴を履いて靴ひもを結んだ後に、靴ひもを内管状体に挿入し、さらにこの内管状体を外管状体に挿入すると、内管状体の凸部と外管状体の凹部が嵌合して内管状体が外管状体に固定されるとともに、内管状体の外側に湾曲した切込みが内側に押圧されて切込みの内面の滑り止め歯が靴ひもに絡んで摩擦によって靴ひもが内管状体及び外管状体に固定される。続いて、靴ひもの不要な部分を切断すると、使用者の嗜好に合わせた靴ひもの長さを簡単に決定し調整することができる。また、外管状体の外面には装飾を施すことが可能であり、装飾によって付加価値を高めることもできる。
【０００５】
そして、特許文献３には、「ひも固定装置」という名称で、結んだひもを解け難くするためのひも固定装置に関する発明が開示されている。
この特許文献３に開示された発明は、ひも通し孔と結んだひもの結び目を収容する空隙と結んだひもを二方向に導くひも誘い溝とを備える下部固定体と、この下部固定体とねじ結合し結んだひもの結び目を押さえる圧接部を備える上部固定体を有するものである。
このひも固定装置では、下部固定体のひも通し孔から通したひもを結び、結び目を空隙に配置して、結んだひもをひも誘い溝で二方向に導く。続いて、上部固定体を下部固定体にねじ込んで螺合させていくと、圧接部が結び目を徐々に押さえつけていき、結び目は圧接部と下部固定体の下方とに挟まれて強固に固定される。したがって、一旦結んだ結び目は解け難いものとなる。
【先行技術文献】
【特許文献】
【０００６】
【特許文献１】実開昭６２−１７４４０４号公報
【特許文献２】特開平１１−３２８１４号公報
【特許文献３】特開２００２−１９９９０４号公報
【発明の概要】
【発明が解決しようとする課題】
【０００７】
しかしながら、特許文献１に記載された従来の技術では、靴ひもの端部にねじ付き止め具を設置し、さらに、このねじ付き止め具にアクセサリーを装着しなければならず、作業が煩雑であるとともにねじ付け止め具とアクセサリーの二種類の部品が必要なのでコスト高となるという課題があった。
【０００８】
また、特許文献２に記載された従来の技術では、細い靴紐を内管状体に挿入したり、さらに内管状体を外管状体に挿入したりする細かい作業が多く、取り付け時の作業が容易でないという課題があった。
【０００９】
そして、特許文献３に記載された従来の技術では、結び目を押圧して結び目が解けるのを防止しているが、例えば、靴ひもに適用した場合では、歩行等の振動によって上部固定体と下部固定体のねじ結合の螺合が緩んで結び目が露出し、結び目が解けてしまう不具合が発生する可能性があるという課題があった。また、圧接部６が結んだひもの結び目を圧接する方向がひも通しあな４のある方向と一致しているので、ひもがほどけなくとも、ひも通しあな４から結び目が押し出される可能性があるという課題があった。さらに、意匠性についてはなんら言及されていない。
【００１０】
本発明はかかる従来の事情に対処してなされたものであり、簡単に装着できて外れにくく紐の端部のほつれを防止し、意匠性に優れるとともに安価な紐保持具を提供することを目的とする。
【課題を解決するための手段】
【００１１】
請求項１に記載の発明である紐保持具は、紐の結び目を挿入する挿入口と，紐の結び目を収容する収容部とを備える結び目固定部と、この結び目固定部の上方部を収容し紐が挿通可能な貫通孔が穿設された上部筐体と、この上部筐体と着脱可能に嵌合し結び目固定部の下方部を収容する下部筐体とを有するものである。
上記構成の紐保持具では、結び目固定部において、結び目は挿入口から挿入され、収容部に収容されて固定されるように作用する。また、上部筐体と下部筐体は着脱可能に嵌合し、内部に結び目固定部を収容するように作用する。
【００１２】
次に、請求項２に記載の発明である紐保持具は、請求項１記載の紐保持具において、結び目固定部の挿入口は、開口の大きさが調整可能な開口調整部を備えるものである。
上記構成の紐保持具では、請求項１記載の発明の作用に加えて、結び目固定部の挿入口において、開口調整部は開口の大きさを自在に変えるように作用する。
【００１３】
また、請求項３に記載の発明である紐保持具は、請求項２に記載の紐保持具において、開口調整部は切込みを備えて複数の押え片で形成され、開口調整部は下部筺体と上部筺体が嵌合した際に、上部筺体の内面は複数の押え片が開口することを抑制するように構成されるものである。
上記構成の紐保持具では、請求項２に記載の発明の作用に加えて、開口調整部が切込みによって形成される複数の押え片の個々が開閉して開口の大きさを調整するように作用しつつ、かつ下部筺体と上部筺体が嵌合した際には、複数の押え片が上部筺体の内面によって開口が抑制されるので、結び目固定部の挿入口が閉じて結び目が抜けないように作用する。
なお、上部筺体の内面によって複数の押え片が開口を抑制される構成は、上部筺体の内面が複数の押え片を押圧する場合、上部筺体の内面が複数の押え片の外面と接触する場合、上部筺体の内面と複数の押え片の外面が接触しないものの複数の押え片が開口した途端に上部筺体の内面と接触して開口を抑制される場合の３通りがある。
【００１４】
請求項４に記載の発明である紐保持具は、請求項３に記載の紐保持具において、複数の押え片のうち、少なくとも１つの押え片の表面には滑り止め部材を備えるように構成されるものである。
上記構成の紐保持具では、請求項３に記載の発明の作用に加えて、滑り止め部材は、押え片の表面の抵抗を高め、紐の結び目が抜けないように作用する。
【００１５】
最後に、請求項５に記載の発明である紐保持具は、請求項１乃至請求項４のいずれか１項に記載の紐保持具において、上部筐体及び下部筐体には装飾が施されるものである。
上記構成の紐保持具では、請求項１乃至請求項４のいずれか１項に記載の発明の作用に加えて、上部筐体及び下部筐体に施される装飾は、紐保持具に意匠性を付与するように作用する。
【発明の効果】
【００１６】
さらに、本発明の請求項１に記載の紐保持具では、紐の端部に形成される結び目を結び目固定部の挿入口から挿入すると、結び目は、結び目固定部の内部の収容部に収容されて固定され、解けることなく保持できる。また、紐の結び目を収容する構成であるので、紐保持具は結び目よりも大きく形成され、衣服などに形成される紐通し通路用の紐通し孔を抜け通るような不具合を防止することができる。
【００１７】
次に、本発明の請求項２に記載の紐保持具では、挿入口に開口調整部が設けられているので、結び目を挿入する際には開口を大きくして挿入しやすくし、一方、結び目が挿入された後には開口を小さくして結び目を抜出するのを防止することができる。
【００１８】
また、本発明の請求項３に記載の紐保持具では、開口調整部は、切込みを備える複数の押え片によって形成されるので、各々の押え片が開閉して様々な大きさの結び目に合致する開口の大きさを容易に調整することができる。また、上部筺体の内面によって開口調整部の押え片の開口が抑制されるので、結び目が結び目固定部から抜けないようにすることができる。
【００１９】
本発明の請求項４に記載の紐保持具では、紐の結び目が滑り止め部材によって滑り難くなり、押え片からの引き抜けを防止することができる。
【００２０】
最後に、本発明の請求項５に記載の紐保持具では、上部筐体と下部筐体に装飾が施されるので、紐保持具に意匠性を付与し、使用者の嗜好に応じた装飾を選択することが可能である。
【図面の簡単な説明】
【００２１】
【図１】本発明の第１の実施の形態に係る紐保持具の概念図である。
【図２】図１中にＡ−Ａ線で示された部分の矢視断面図である。
【図３】（ａ）は第１の実施の形態に係る紐保持具の結び目固定部の外形図であり、（ｂ）は同じく紐保持具の結び目固定部の上面図である。
【図４】（ａ）は図３（ｂ）中にＢ−Ｂ線で示された部分の矢視断面図であり、（ｂ）は第１の実施の形態に係る紐保持具の結び目固定部が開口した状態の断面図である。
【図５】（ａ）は第１の実施の形態に係る紐保持具の使用状態を示す概念図であり、（ｂ）は同じく紐保持具の使用状態の内部を示す概念図である。
【図６】（ａ）は本発明の第２の実施の形態に係る紐保持具の正面図であり、（ｂ）は同じく紐保持具の背面図である。
【図７】（ａ）は第２の実施の形態に係る紐保持具の靴紐固定部の固定状態を示す概念図であり、（ｂ）は同じく紐保持具の靴紐固定部の固定を解除した状態を示す概念図である。
【発明を実施するための形態】
【００２２】
以下に、本発明の第１の実施の形態に係る紐保持具を図１乃至図５に基づき説明する。
図１は、本発明の第１の実施の形態に係る紐保持具の概念図である。
図１において、紐保持具１は、主に、上部筐体２、下部筐体４及び結び目固定部６から構成されており、上部筐体２は紐挿通孔３を、下部筐体４は雄ねじ部５を備え、また、結び目固定部６は、押え片７と切込み８と結び目挿通孔１１とを備えている。詳細については後述するが、紐保持具１は、衣服などで使用される紐の端部を保持するものであり、紐の端部を紐挿通孔３から上部筐体２の内部に向けて挿入し、続いて、紐の端部に結び目を形成し、この結び目を結び目固定部６の結び目挿通孔１１から内部に挿入すると、結び目が結び目固定部６の内部に固定される。そして、上部筐体２と下部筐体４を嵌合すると、紐の端部は結び目固定部６に固定された状態で保持される。
【００２３】
次に、図２は、図１中にＡ−Ａ線で示された部分の矢視断面図である。
図２において、紐保持具１では、結び目固定部６の下部が下部筐体４に収容されており、また、上部筐体２には結び目固定部嵌合孔９が形成されて結び目固定部６の上部を収容できるようになっている。なお、結び目固定部嵌合孔９は、結び目固定部６の押え片７によって形成されるドーム形状に合わせて上方になるほど内径が小さくなるように形成されており、収容時に結び目固定部６の押え片７が開かないようにし、結び目固定部６に収容される結び目の抜出を防止している。そして、上部筐体２を下部筐体４に被せると、結び目固定部６の上部が結び目固定部嵌合孔９に収容されていき、そして、上部筐体２の雌ねじ部１０が下部筐体４の雄ねじ部５に当接するので、上部筐体２を回転すると雌ねじ部１０と雄ねじ部５が螺合していき、最後には上部筐体２と下部筐体４が螺着により結合して一体化される。ここで、上部筐体２と下部筐体４の結合方法として雌ねじ部１０及び雄ねじ部５を用いた螺合を挙げたが、これらの結合は螺合に限定されるものではない。例えば、凸形状の構造を上部筐体２に設け、凹形状の構造を下部筐体４に設けて、これらの凸形状の構造と凹形状の構造を押圧により嵌め込んで結合してもよい。
また、結び目固定部６は、結び目挿通孔１１に複数の切込み８により分割された複数の押え片７を有し、内部には結び目収容部１３を備えている。そして、詳細については後述するが、押え片７にはそれぞれ返し１２が形成されており、この返し１２は結び目収容部１３に収容される紐の結び目が結び目挿通孔１１から抜出するのを防止するなどの機能を有している。
さらに、上部筺体２が下部筺体４に嵌合あるいは螺合した際には、押え片７は、上部筺体２の内面によってその開口が抑制されるため、結び目収容部１３に収容される紐の結び目が結び目挿通孔１１から抜出し難くなるという機能を備えている。押え片７は、上部筺体２によって押圧されるように構成されてもよいし、直接押圧されなくとも外部から紐に引張力が働いた際に結び目に引張力がかかり押え片７が開こうとした際に、押え片７の外面が上部筺体２の内面２ａに接触して開きを抑制するようにしてもよい。押え片７は上部筺体２の内面２ａに予め接触しておくように構成してもよいし、接触していなくとも押え片７が開口しようとした途端に押え片７の外面が上部筺体２の内面２ａに接触するように構成してもよい。
【００２４】
次に、結び目固定部について図３及び図４を用いて説明する。
図３（ａ）は、第１の実施の形態に係る紐保持具の結び目固定部の外形図であり、（ｂ）は、同じく紐保持具の結び目固定部の上面図である。
図３（ａ）において、結び目固定部６は、底部が閉口した円筒形状で、上部には切込み８が入った複数の押え片７が内側に湾曲しドーム形状を形成している。そして、結び目固定部６の最上部は開口した結び目挿通孔１１が設けられており、紐の結び目が挿通可能になっている。
また、図３（ｂ）において、結び目固定部６を上方からみると、略中央に開口した結び目挿通孔１１が配置され、この結び目挿通孔１１の周りには、６個の押え片７ａ〜７ｆが周設されている。これら６個の押え片７ａ〜７ｆは６本の切込み８ａ〜８ｆによって個々が回動自在になっており、６個の押え片７ａ〜７ｆが内外方向に開閉することによって、結び目挿通孔１１の開口の大きさが変化するようになっている。
また、６個の押え片７ａ〜７ｆのうち、３個の押え片７ｂ，７ｄ，７ｆには突起状の滑り止め部材１２ｓ〜１２ｕが形成されている。本実施の形態においては、滑り止め部材を隔片の３個に設けているものの、この数には限定せず全ての押え片７ａ〜７ｆに設けてもよいし、対向する２片にのみ設けてもよい。滑り止め部材を設ける数は少なくとも１個あればよく、その数や配置は限定しないものである。
【００２５】
次に、図４（ａ）は、図３（ｂ）中にＢ−Ｂ線で示された部分の矢視断面図であり、（ｂ）は、第１の実施の形態に係る紐保持具の結び目固定部が開口した状態の断面図である。
図４（ａ）において、結び目固定部６の断面をみると、押え片７ａ及び押え片７ｄは結び目固定部６の側壁から連続して形成され、先端部には返し１２ａ及び返し１２ｄがそれぞれ設けられている。前述の通り、返し１２ａ及び返し１２ｄは、結び目固定部６の結び目収容部１３に収容される結び目の抜出を防止する機能を有している。また、返し１２ａ及び返し１２ｄは、結び目挿通孔１１から結び目が挿入される際には、ガイドとして機能し、結び目を結び目収容部１３に案内する。すなわち、結び目は返し１２ａ及び返し１２ｄに接触して滑らかに結び目収容部１３へ移動する。また、結び目の通過中は、押え片７ａ及び押え片７ｄは外側に押され、その結果、結び目挿通孔１１の開口は大きくなる。いったん、結び目が通過してしまうと、押え片７ａ及び押え片７ｄは元の位置に戻ろうとして結び目挿通孔１１の開口は小さくなる。
ここで、結び目固定部６は、低密度ポリエチレンなどの軟らかく弾性のあるプラスチックで形成することが望ましい。材料に軟らかく弾性のあるプラスチックを選定することにより、押え片７ａ及び押え片７ｄはその弾性によって作用する力に応じて自在に開閉し、結び目挿通孔１１の開口の大きさの調整が容易となる。但し、結び目固定部６において、押え片７ａ及び押え片７ｄを結び目固定部６の側壁と一体的に形成しないで、押え片７ａ及び押え片７ｄは別個に設置するようにしてもよい。この場合、押え片７ａ及び押え片７ｄは回動自在に支持する支持部材などを介して結び目固定部６の側壁に設置するとよく、また、結び目固定部６の側壁には硬質のプラスチックや金属など押え片７ａ及び押え片７ｄとは別の材料で構成することも可能となる。
なお、３個の押え片７ｂ，７ｄ，７ｆに形成される突起状の滑り止め部材１２ｓ〜１２ｕの向きは、図４（ａ）に示されるもののように紐の結び目が容易に結び目固定部６に挿入されるような向きであることが望ましい。
【００２６】
次に、図４（ｂ）において、結び目固定部６の結び目収容部１３に収容された結び目を抜出する場合には、図示するように、押え片７ａ及び押え片７ｄは返し１２ａ及び返し１２ｄの形状を維持したまま外側に向けて開き、結び目挿通孔１１は大きく開口する。そして、結び目は返し１２ａ及び返し１２ｄの端面に接触しながらあるいは接触することなく結び目収容部１３から外部に抜出される。
ここで、結び目収容部１３に収容される結び目を抜出する際、最初は、図４（ａ）に示すような屈曲した返し１２ａ及び返し１２ｄによって結び目は掛止されて結び目の抜出が抑止される。しかしながら、返し１２ａ及び返し１２ｄは柔軟であるので、少し強い力で引っ張ると上部筺体２の内面２ａによる押えが働かない場合にはある程度容易に結び目挿通孔１１の開口を広げて結び目を抜出させることができる。なお、結び目を抜出した後は、押え片７ａ及び押え片７ｄは、それら自体の弾性によって元の位置に戻る。
なお、本実施の形態においては、返し１２ａ及び返し１２ｄは、その形状を維持しながら外側に向けて開くとしたものの、返し１２ａ及び返し１２ｄの屈曲部が伸長して、外側に開くようにしてもよい。その場合には、返し１２ａ及び返し１２ｄの強度が十分であることを確認しておく必要がある。すなわち、返し１２ａ及び返し１２ｄの屈曲部の強度を犠牲にしてまで、この屈曲部の伸長を求めるものではないのである。なお、屈曲部が伸長する場合には、結び目を抜出した後には、返し１２ａ及び返し１２ｄ自体の弾性によって屈曲部が回復するようにしておくとよい。
【００２７】
次に、図５（ａ）は、第１の実施の形態に係る紐保持具の使用状態を示す概念図であり、（ｂ）は、同じく紐保持具の使用状態の内部を示す概念図である。
図５（ａ）において、紐保持具１は嵌合する上部筐体２と下部筐体４の内部に紐１４の結び目を収容して、紐１４の端部を保持している。本実施の形態では、紐保持具１は球状に形成しているが、紐保持具１の形状は特に限定されるものではなく、結び目固定部を収容可能であれば、如何なる形状であっても構わない。例えば、円錐形状、三角錘形状や立方体形状の他に、ハート形状や動物などを模った形状などが挙げられる。なお、上部筐体２及び下部筐体４は、プラスチック、硬質ゴム、金属、布、木材などで形成することができ、また、着色やパターンの描画などの装飾を行ってもよい。紐保持具１の形状を変えたり着色したりして装飾を施すことによって、紐保持具１自体及び紐保持具１を用いる衣服のデザイン性能を向上させることができるとともに、使用者は自分の嗜好に応じて紐保持具１を選定することができる。
【００２８】
続いて、図５（ｂ）において、紐１４の端部には結び目１５が形成されており、結び目１５は、紐保持具１の上部筐体２及び下部筐体４に収容される結び目固定部６の結び目収容部１３に収容されて、結び目１５の上方の紐が押え片７及び返し１２に挟持されて固定されている。図示するように、紐保持具１は結び目１５よりも大きく形成されるので、紐１４をズボンの腰回りやフードの縁などの衣服に設けられる紐通し通路に通して使用する場合には、結び目が紐通し通路の紐通し孔を通過して、紐通し通路に入ってしまうという不具合を生じることを防止することができる。
【００２９】
このように構成された本実施の形態では、ほつれ易い紐の端部に結び目を形成し、この結び目を結び目固定部６に挿入して固定するだけで、簡単に結び目及び紐の端部を外部と遮断して保護することができる。
本実施の形態に係る紐保持具は、前述のとおり、紐の結び目は紐を、紐挿通孔３を通した後に形成するが、その際には当然にその結び目は紐挿通孔３の内径よりも大きめに形成されることが望ましい。従って、本実施の形態においては、紐の結び目の引き抜け防止機能として、結び目固定部６の押え片７とその押え片に形成される滑り止め部材１２ｓ〜１２ｕ、また、押え片７の開きを抑制する上部筺体２の内面２ａ、さらに上部筺体２の紐挿通孔３による機能の４段階で発揮されることになり、より高い引き抜け防止作用が期待できる。
また、結び目固定部６を収容する上部筐体２及び下部筐体４に装飾を施すことによって、意匠性を付与し、使用者には嗜好に応じた選択肢を提供することができる。さらに、紐保持具１は結び目よりも大きく形成されるので、衣服の紐通し孔を通過しにくく衣服の中に紐が入り込んでしまうという不具合を解消することができる。しかも、簡素な構造であるとともに、汎用の原料を使用することによって低価格での製造が可能となる。
【００３０】
次に、本発明の第２の実施の形態に係る紐保持具を図６及び図７に基づき説明する。
図６（ａ）は、本発明の第２の実施の形態に係る紐保持具の正面図であり、（ｂ）は同じく紐保持具の背面図である。
図６（ａ）及び（ｂ）において、紐保持具１６では、球状に形成され、２つの分割筺体（上部筺体１７ａ，下部筺体１７ｂ）からなる筐体１７は、正面側に靴紐などの紐の先端部を挿入する紐挿入孔１８を備え、一方、背面側に押圧ボタン１９を備えている。紐保持具１６では、紐挿入孔１８に靴紐などの紐の先端部を挿入して押圧ボタン１９を操作すると、詳細については後述するが、筐体１７の内部で紐の先端部が固定されて、紐の先端部が筐体１７の内部に保持される。
筐体１７は、汎用プラスチック、硬質ゴム、金属、木材などの材料を用いて形成することができ、形状は球状の他に、円錐形状、三角錘形状、立方体形状、ハート形状や動物などを模った形状など様々な形状に形成することができる。また、着色やパターンの描画などの装飾を行うこともできる。
但し、筐体１７は後述の靴紐固定部を収容可能に設計する必要がある。従って、本実施の形態の図面に示されるように、上部筺体１７ａと下部筺体１７ｂに分割可能な構造とし、これらが互いに嵌合あるいは螺合可能なように、嵌め溝の構造や雄ねじ部と雌ねじ部の構造をなすようにしておくとよい。
嵌め溝の構造は、第１の実施の形態と同様に、例えば、凸形状の構造を上部筐体１７ａに設け、凹形状の構造を下部筐体１７ｂに設けて、これらの凸形状の構造と凹形状の構造を押圧により嵌め込んで結合するような場合が考えられる。
また、螺合の構造も第１の実施の形態と同様に、上部筺体１７ａと下部筺体１７ｂにそれぞれ雄ねじ部と雌ねじ部あるいはその逆を形成して螺合させるような場合が考えられる。
【００３１】
次に、図７（ａ）は、第２の実施の形態に係る紐保持具の靴紐固定部の固定状態を示す概念図であり、（ｂ）は、同じく紐保持具の靴紐固定部の固定を解除した状態を示す概念図である。
まず、図７（ａ）において、紐保持具１６では、筐体１７の内部に靴紐固定部２０が設置されており、靴紐固定部２０は、靴紐２５の先端部２６を挟持する一対の挟持部２１ａ，２１ｂと、一対の挟持部２１ａ，２１ｂをそれぞれ支持する一対の支持部２２ａ，２２ｂと、一対の支持部２２ａ，２２ｂに介設されるばね２３とを備えている。そして、靴紐２５の先端部２６は一対の挟持部２１ａ，２１ｂに挟持されて固定されている。また、一対の挟持部２１ａ，２１ｂには、図示するように、先端が鋭利な凸凹構造の滑り止め部材２４ａ，２４ｂが設けられており、先端部２６は堅固に固定されて、先端部２６の不用意な抜出が防止されている。
なお、符号１９は押圧ボタンであり、支持部２２ａに外部からの力を作用させて挟持部２１ａの開閉を操作するものである。
【００３２】
そして、図７（ｂ）において、靴紐固定部２０では、挟持部２１ａが先端部２６から離れて固定が解除されている。固定を解除するためには、押圧ボタン１９を外側から押圧する。そうすると、押圧ボタン１９の内側に接している支持部２２ａの一端部が下方に移動し、一方、支持部２２ａの他端部に接続される挟持部２１ａは上方に移動して、先端部２６から離れて挟持状態が解消される。このとき、支持部２２ａの移動に伴って、支持部２２ａ，２２ｂに介設されるばね２３は弾性範囲内で湾曲する。続いて、押圧ボタン１９の押圧を止めると、湾曲したばね２３は弾性によって自動で元の形状に回復し、支持部２２ａ及び挟持部２１ａも連動して移動し、挟持部２１ａ，２１ｂは再び挟持状態となる。また、押圧ボタン１９は、このばね２３の力によって押し出されて、図７（ａ）に示される状態に回復する。本実施の形態においては、ばね２３を用いて押圧ボタン１９が押し出されるように構成したが、別途別のばねやスプリングを用いて押圧ボタン１９が外側へ押し出されるように構成してもよい。
したがって、押圧ボタン１９を押した状態では、靴紐２５の先端部２６の紐挿入孔１８への挿入や抜出を行うことができ、押圧ボタン１９が押圧されない状態では、挟持部２１ａ，２１ｂは、常に、挟持状態を保持し、ごく簡便な操作で靴紐２５の先端部２６に紐保持具１６を装着することができる。また、押圧ボタン１９の位置、すなわち窪み状態で挟持部２１ａ，２１ｂの働きもチェックすることが可能である。
なお、押圧ボタン１９の内側面は支持部２２ａに接触して支持部２２ａを円滑に移動させるために滑らかな曲面を形成していることが必要である。
【００３３】
このように構成された本実施の形態では、靴紐固定部にばねを利用しているので、挟持状態では堅固な固定を可能とし、また、挟持状態の解除においてもばねの弾性によって挟持状態への移行を容易にしている。また、簡単な操作で靴紐などの紐の先端部に紐保持具を装着できるので、子どもから高齢者までの幅広い使用者の利用を見込むことができる。そして、形状や色彩などを変えて様々なデザインを提供できるので、ファッション性を向上させたり、付加価値を付与したりすることが可能である。
【００３４】
以上説明したように、本発明の請求項１乃至請求項５に記載された発明は、装着が容易であるとともに堅固な固定を保持し、意匠性を備えて安価な紐保持具を提供可能であり、衣服や靴や手芸用品の製造業などに利用可能である。
【符号の説明】
【００３５】
１…紐保持具  ２…上部筐体  ２ａ…内面  ３…紐挿通孔  ４…下部筐体  ５…雄ねじ部  ６…結び目固定部  ７，７ａ〜７ｆ…押え片  ８，８ａ〜８ｆ…切込み  ９…結び目固定部嵌合孔  １０…雌ねじ部  １１…結び目挿通孔  １２，１２ａ，１２ｄ…返し  １２ｓ〜１２ｕ…滑り止め部材  １３…結び目収容部  １４…紐  １５…結び目  １６…紐保持具  １７…筐体  １７ａ…上部筐体  １７ｂ…下部筐体  １８…紐挿通孔  １９…押圧ボタン  ２０…靴紐固定部  ２１ａ，２１ｂ…挟持部  ２２ａ，２２ｂ…支持部  ２３…ばね  ２４ａ，２４ｂ…滑り止め部材  ２５…靴紐  ２６…先端部
【図１】
2011156347.tif 000003
【図２】
2011156347.tif 000004
【図３】
2011156347.tif 000005
【図４】
2011156347.tif 000006
【図５】
2011156347.tif 000007
【図６】
2011156347.tif 000008
【図７】
2011156347.tif 000009